(57)【特許請求の範囲】
【請求項１】
下方に凹んだ球面形状の滑走面（１２０）が上面に形成された滑走台（１００）と、
前記滑走面（１２０）に載せられ、底面が前記滑走面（１２０）に対応するように下方に膨らみ出した形状をなし、複数の滑走ボール（２２２）を備える滑走手段によって滑走面（１２０）上で全方向に滑走することができる滑走体（２００）とを含み、
前記滑走体（２００）に載せられて構造物を支持するが、下端に球形のビボットボール（６４２）が設けられた軸棒（６４０）が下方に突出し、前記滑走体（２００）の上面には、前記ビボットボール（６４２）を収容する軸溝（２４２）が設けられ、前記ビボットボール（６４２）が軸溝（２４２）に収容されることにより、前記滑走体（２００）と連結される構造物支持台（６００）と、
前記構造物支持台（６００）に上端が結合しながら、前記滑走台（１００）と滑走体（２００）を内部に収容して保護するが、伸縮し振動を吸収する保護膜（７００）とを含め、
前記滑走体（２００）が滑走面（１２０）で滑走しながら、地震による振動を吸収することになるが、
前記滑走面（１２０）の中央には移動制限溝（１４０）が設けられる一方、前記滑走体（２００）の底面には前記移動制限溝（１４０）に対応する移動制限突起（２６０）が設けられ、前記移動制限突起（２６０）が移動制限溝（１４０）から外れなくなることにより滑走体（２００）が滑走台（１００）から離脱しなくなり、 
前記移動制限突起（２６０）の下端には、倒壊防止板（２６２）が設けられる一方、前記移動制限溝（１４０）には、前記倒壊防止板（２６２）が動けるように余裕空間を持ちながらも抜けないように収容される倒壊防止板チャンバ（２７０）が設けられ、前記滑走体（２００）が滑走台（１００）から分離されなくなる免震装置。
【請求項２】
前記滑走ボール（２２２）は、滑走体（２００）の底面に一部が外部に露出した状態で埋設されるように設置される、請求項１に記載の免震装置。
【請求項３】
前記滑走ボール（２２２）は、滑走体（２００）の底面に凹設されるハウジングに収容され、前記ハウジングの内部には補助ボール（２２３）が備えられ、該補助ボールが前記滑走ボール（２２２）と接して転がりながら摩擦を減少させる、請求項２に記載の免震装置。
【請求項４】
前記滑走手段は、前記滑走ボール（２２２）を備えて滑走体（２００）の底面に埋設される複数のボールトランスファーユニット（２２０）であり、前記ボールトランスファーユニット（２２０）は、弾性板（２３０）によって支持される、請求項１に記載の免震装置。
【請求項５】
前記滑走台（１００）の下方に設置され、滑走台（１００）を弾性的に支持して振動を吸収する弾性クッション（３００）をさらに含む、請求項１に記載の免震装置。
【請求項６】
前記弾性クッション（３００）を支持する受け台（４００）をさらに含み、前記滑走台（１００）が弾性クッション（３００）を挟んで受け台（４００）にボルト（５００）で結合されるが、
前記ボルト（５００）は、上下動きが可能となって弾性クッション（３００）の収縮及び膨張に応じて滑走台（１００）が上下に動くことができる、請求項５に記載の免震装置。
【請求項７】
前記軸溝（２４２）の内部には補助ボール（６４３）が備えられ、ビボットボール（６４２）と接して転がりながら摩擦を減少させる、請求項１に記載の免震装置。
【請求項８】
前記軸溝（２４２）は、埋設体（２４０）に設けられて前記滑走体（２００）の上面埋設体（２４０）が埋設されることにより、軸溝（２４２）が滑走体（２００）の上面に設けられるが、前記埋設体（２４０）は、弾性板（２３０）によって支持される、請求項１に記載の免震装置。
【発明の詳細な説明】
【技術分野】
【０００１】
本発明は、構造物を地震から保護することができる免震装置に関する。
【背景技術】
【０００２】
地震が発生した場合、建物や設備などの構造物に縦方向または横方向に振動が伝達されるが、横方向への振動は、構造物を激しく振ったり捩ったりする。伝達される振動の程度が激しい場合、構造物を部分的に損傷させて安定性を低下させたり、構造物を崩壊させたりする。
【０００３】
これにより、地震による被害を防止するために免震装置が設置される。このような免震装置は、平常時には構造物を支持している状態を保っているが、地震が発生すると、地震による振動を吸収して構造物を地震から保護する作用をする。
【先行技術文献】
【特許文献】
【０００４】
【特許文献１】韓国特許第１０−１６８４５７５号公報（２０１６年１２月２日登録）の「免震装置」
【発明の概要】
【発明が解決しようとする課題】
【０００５】
本発明は、地震が発生した状況で構造物に加わる振動を効果的に吸収して構造物を安全に保護することができるようにする免震装置を提供することを目的とする。
【課題を解決するための手段】
【０００６】
上記の目的は、下方に凹んだ球面形状の滑走面が上面に形成された滑走台と、前記滑走面に載せられ、滑走手段によって滑走面上で滑走することができる滑走体とを含むことにより、前記滑走体が滑走面で滑走しながら地震による振動を吸収する免震装置を提供することにより達成される。
【発明の効果】
【０００７】
本発明によれば、地震が発生した状況で構造物に加わる振動を効果的に吸収することができるので、地震の発生時に構造物を安全に保護することができる。
【図面の簡単な説明】
【０００８】
【図１】本発明明による免震装置が設置された状態の例示図である。
【図２】本発明による免震装置の構造を概略的に示す例示図である。
【図３】本発明による免震装置の主要構成を分解して示す例示図である。
【図４】本発明による滑走ボールを支持する構造の他の実施例示図である。
【図５】本発明による滑走ボールを支持する構造の他の実施例示図である。
【図６】本発明によるピボットボールを支持する構造の他の実施例示図である。
【図７】本発明による免震装置における滑走台と受け台とが結合される構造の他の実施例示図である。
【図８】本発明による補助滑走体が形成された免震装置を示す例示図である。
【図９】本発明の他の実施例による滑走面が採用された免震装置の例示図である。
【図１０】図９の免震装置に補助滑走体が形成された構造を示す例示図である。
【図１１】本発明の他の実施例による滑走手段が採用された免震装置を示す例示図である。
【図１２】本発明の他の実施例による滑走手段を示す例示図である。
【図１３】本発明の他の実施例による滑走手段を示す例示図である。
【図１４】本発明による免震装置に倒壊防止手段が形成された構成を例示して示す例示図である。
【図１５】本発明による免震装置に倒壊防止手段が形成された構成を例示して示す例示図である。
【図１６】本発明による免震装置に倒壊防止手段が形成された構成を例示して示す例示図である。
【発明を実施するための形態】
【０００９】
本発明は、地震が発生した状況で構造物に加わる振動を効果的に吸収して構造物を安全に保護することができるようにする免震装置を得るために、下方に凹んだ球面形状の滑走面が上面に形成された滑走台と、前記滑走面に載せられ、滑走手段によって滑走面上で滑走することができる滑走体とを備えて、前記滑走体が滑走面上で滑走しながら地震による振動を吸収する免震装置を提供する。
【００１０】
以下、本発明について図１乃至図１６を参照して詳細に説明する。
【００１１】
図１は本発明による免震装置が設置された状態の例示図である。
【００１２】
図示のように、本発明による免震装置（ＳＩＳ）は、構造物と地盤との水平移動隔離のために設置されるもので、構造物における垂直方向の荷重に耐える個所に設置される。構造物の柱の下端部分に設置される。
【００１３】
図２は本発明による免震装置の構造を概略的に示す例示図、図３は本発明による免震装置の主要構成を分解して示す例示図、図４及び図５は本発明による滑走ボールを支持する構造の他の実施例示図、図６は本発明によるピボットボールを支持する構造の他の実施例示図である。
【００１４】
図２に示すように、本発明による免震装置（ＳＩＳ）は、滑走台１００と、前記滑走台１００上で滑走手段によって滑走する滑走体２００とを含む。
【００１５】
滑走台１００は、一定の厚さを有し、上面には下方に凹んだ球面形状の滑走面１２０が形成される。滑走台１００のボディは、円盤状に形成できるが、これに限定されるものではない。
【００１６】
滑走体２００は、一定の厚さを有するもので、底面が前記滑走面１２０に対応するように下方に膨らみ出した形状をなし、前記滑走面１２０に載せられて滑走する。底面が球状に膨らみ出すように形成できる。前記滑走手段が滑走体２００底面に設けられるか或いは別途設けられて滑走面１２０に装着されることにより、滑走体２００が滑走面１２０上で四方、すなわち全方向に滑走する。したがって、地震による振動で滑走台１００が水平方向に動く状況でも、滑走体２００は動かなくなり、その結果として構造物に振動が伝達される程度を減少させることができる。
【００１７】
前記滑走面１２０の中央には移動制限溝１４０が設けられる。そして、前記滑走体２００の底面には、前記移動制限溝１４０に対応する移動制限突起２６０が設けられる。移動制限突起２６０は、移動制限溝１４０の直径よりも小さい太さを有し、移動制限溝１４０内で一定程度の動きが可能であるが、水平方向の振動が発生しても、前記移動制限突起２６０が移動制限溝１４０から外れなくなることにより、滑走体２００が滑走台１００から離脱しなくなる。
【００１８】
上述したように移動制限溝１４０が設けられる構造では、前記滑走台１００の外側面から前記移動制限溝１４０に至る点検口１６０が設けられる。このような点検口１６０を介して移動制限溝１４０の内部を観察して移動制限突起２６０の破損有無や異物有無などを点検する。
【００１９】
滑走手段は、前記滑走体２００の底面に設置される複数の滑走ボール２２２から形成できる。前記滑走体２００の底面にハウジングが凹設され、そのハウジングの内部に滑走ボール２２２が一部を外部に露出した状態で埋設されるように収容されて回動自在に設置される構造である。このような滑走ボール２２２は、滑走体２００を安定的に支持することができるように適正の数が備えられなければならず、滑走体２００が重心を合わせて滑走することができるように設置位置が適正に選定されなければならない。
【００２０】
一方、前記滑走ボール２２２が収容されるハウジングの内部には、補助ボール２２３が備えられてもよい。この場合、ハウジングの内壁面は、半球形をなし、その壁面に沿って補助ボール２２３が配置され、それに接するように滑走ボール２２２が設置される。このような補助ボール２２３は、滑走ボール２２２とハウジングの内壁面との間に配置されて転がるので、摩擦を減少させる。
【００２１】
前記補助ボール２２３は、二重（図２）または一重（図４）に配置することができる。もちろん、補助ボール２２３なしに支持板２２６に滑走ボール２２２を設置してハウジングに設置すること（図５）も可能である。
【００２２】
ここで、滑走手段は、滑走体２００の底面に埋設されたボールトランスファーユニット２２０から形成できる。この構成において、前記ボールトランスファーユニット２２０は、滑走ボール２２２が備えられて滑走体２００の底面に埋設されるが、この時、前記ボールトランスファーユニット２２０は、後方が弾性板２３０によって支持されるように形成できる（図４）。弾性板２３０は、ゴムのように弾性を持つ材質で形成され、振動及び衝撃の吸収に役立つ。
【００２３】
本発明による免震装置（ＳＩＳ）は、前記滑走台１００の下方に設置され、滑走台１００を弾性的に支持する弾性クッション３００をさらに含むことができる。弾性クッション３００は、弾性を持つ材質、例えば、ゴムやポリウレタンで形成できるものであって、一定の面積と厚さを持つように形成され、弾性的に垂直方向の振動を吸収する。
【００２４】
前記弾性クッション３００は受け台４００上に設置できる。受け台４００は、板状をし、上面に弾性クッション３００が定着されることにより弾性クッション３００を支える。受け台４００の上面には、弾性クッション３００が定着される溝が設けられるので、弾性クッション３００が滑らないように動きを制限する。上述したような溝は、滑走台１００の底面にも同様に設けられ、弾性クッション３００を上方と下方で保持することができるようにする。
【００２５】
前記滑走台１００は、弾性クッション３００を挟んで受け台４００にボルト５００で結合される。前記ボルト５００は、複数個が同心円上で一定の間隔を置いて配置され、滑走台１００と弾性クッション３００とを結合することができる。この時、前記ボルト５００は、上下動きが可能な状態で締結されることにより、弾性クッション３００の収縮及び膨張に応じて滑走台１００が上下に動くことができる。前記ボルト５００が受け台４００から滑走台１００に向けて締結されるが、受け台４００にはねじ山が形成されないため、締結されたボルト５００が上下に動くことができる。
【００２６】
本発明による免震装置（ＳＩＳ）は、前記滑走体２００に載せられて構造物を支持する構造物支持台６００をさらに含んでもよい。前記構造物支持台６００には、一定の厚さとなり、板状をなして上面に構造物が載せられる構成であって、球状のピボットボール６４２が下端に設けられた軸棒６４０が下方に突出し、前記軸棒６４０が滑走体２００に軸結合方式で固定される。このような軸棒６４０は、別途設けられ、構造物支持台６００の底面に結合できる。
【００２７】
前記軸棒６４０が滑走体２００に結合できるようにするために、前記滑走体２００の上面には、前記ピボットボール６４２を収容する軸溝２４２が設けられる。前記軸溝２４２は、内壁が球状をなす溝であって、球状の前記ピボットボール６４２と対応する形状をし、ピボットボール６４２が回動自在に結合できるように構成される。これにより、構造物支持台６００が滑走体２００に回動可能な状態で載せられる。
【００２８】
ここで、前記軸溝２４２の内部には補助ボール６４３が備えられてもよい（図６）。軸溝２４２の内壁面に沿って補助ボール６４３が配置され、それに接するようにピボットボール６４２が設置される。これにより、補助ボール６４３は、ピボットボール６４２と軸溝２４２の内壁面との間に配置されて転がるので、摩擦を減少させる。
【００２９】
一方、前記軸溝２４２は、埋設体２４０に設けられ、前記滑走体２００の上面埋設体２４０が埋設されて固定されることにより、軸溝２４２が滑走体２００の上面に設けられ得る。この構成において、前記埋設体２４０は、後方が弾性板２３０によって支持されるように形成できるので（図６）、前記弾性板２３０は、ゴムのように弾性を持つ材質であって、振動と衝撃の吸収に役立つ。
【００３０】
本発明による免震装置（ＳＩＳ）は、前記滑走台１００と滑走体２００を内部に収容して保護する保護膜７００をさらに含むことができる。このような保護膜７００は、弾性クッション３００、受け台４００及び構造物支持台６００が備えられる場合、下端は受け台４００に固定され、上端は構造物支持台６００に固定されることにより、上記の構成をすべて収容して保護する。保護する対象は、埃、異物、熱、火炎、水分などであるので、さまざまな外部汚染源からそれぞれ構成を保護していずれの環境でもまともな機能を行うとともに、使用年限を極大化することができるようにする。
【００３１】
前記保護膜７００は伸縮自在に形成される。このため、一部分が蛇管の形状をなして伸縮自在にする構成が採用できる。このように保護膜７００が伸縮すると、振動発生の際に保護膜７００が自然に伸縮しながら振動の吸収を妨害しなくなるので、設計された免震性能がそのまま実現される。
【００３２】
上述したような本発明による免震装置（ＳＩＳ）は、滑走体２００が水平方向の振動を吸収し、弾性クッション３００が垂直方向の振動を吸収し、構造物支持台６００が回動方向の振動を吸収するので、選択的にまたは全部が一つの免震装置（ＳＩＳ）に形成されることにより、最適な免震性能を実現する。
【００３３】
以下、上述したような基本構成に基づいて、本発明による免震装置（ＳＩＳ）を構成する各構成の多様な実施例を説明する。
【００３４】
図７は本発明による免震装置における滑走台と受け台とが結合される構造の他の実施例示図である。
【００３５】
本発明による免震装置（ＳＩＳ）は、受け台４００と滑走台１００とを結合させるボルト５００が滑走台１００を貫通して受け台４００に締結できる。この時、滑走台１００にはねじ山が形成されないため、締結されたボルト５００が上下に動くことができる。よって、前記ボルト５００は、上下動きが可能な状態で締結されるので、弾性クッション３００の収縮及び膨張に応じて滑走台１００が上下に動くことができ、その結果として、垂直方向の振動をスムーズに吸収することができる。
【００３６】
一方、前記ボルト５００にはスプリングが締結されることにより、前記スプリングの収縮及び膨張による振動吸収能力の向上を図ることができる。
【００３７】
図８は本発明による補助滑走体が形成された免震装置を示す例示図である。
【００３８】
本発明による免震装置（ＳＩＳ）は、補助滑走体２５０を備えて、滑走体２００と一緒に多段構造を成すように形成できる。
【００３９】
前記補助滑走体２５０は、上面に凹な滑走面１２０が形成されることにより、前記滑走台１００と滑走体２００との間に配置される。前記滑走面１２０と滑走体２００との間に補助滑走体２５０が載せられることにより多段構造を成すが、補助滑走体２５０が一つ備えられる場合、滑走体２００が載せられる。補助滑走体２５０が２つ以上備えられる場合には、補助滑走体２５０が積層される構造をなし、最も上側に配置される補助滑走体２５０上に滑走体２００が載せられる方式で多段構造を成す。
【００４０】
前記補助滑走体２５０は、上面に凹な滑走面１２０が形成される一方、前記滑走面１２０の中央には移動制限溝１４０が設けられ、この移動制限溝には滑走体２００に設けられた移動制限突起２６０が収容され、底面には移動制限突起２６０が設けられ、この移動制限突起は滑走台１００に設けられた移動制限溝１４０に収容される。よって、補助滑走体２５０が滑走台１００から離脱せず、同様に滑走体２００が補助滑走体２５０から離脱しなくなる。
【００４１】
前記補助滑走体２５０は、滑走手段で支持されて滑走することができる。このような滑走手段は、先立って説明したことがあるので、再度の説明を省略する。
【００４２】
図９は本発明の他の実施例による滑走面が採用された免震装置の例示図、図１０は図９の免震装置に補助滑走体が形成された構造を示す例示図である。
【００４３】
本発明による免震装置（ＳＩＳ）は、滑走面１２０の構成を、先立って説明したのとは異なるように形成することが可能である。滑走面１２０は、先立って説明したように滑走台１００と補助滑走体２５０の上面に形成されるので、本実施例において、前記滑走面１２０は、凹な球面状に形成され、その縁部に移動制限顎部１８０を有する。
【００４４】
この構成において、滑走体２００は、前記移動制限顎部１８０の内側に収容される状態で滑走面１２０に載せられる。そして、上面に滑走面１２０が形成された補助滑走体２５０が備えられる場合、補助滑走体２５０に形成された滑走面１２０の縁部にも移動制限顎部１８０が設けられるので、図１０に示すように、補助滑走体２５０が滑走台１００の滑走面１２０に移動制限顎部１８０の内側に収容される状態で載せられた後、補助滑走体２５０に形成された滑走面１２０に、移動制限顎部１８０の内側に滑走体２００が収容される状態で載せられることにより、多段構造を成す。
【００４５】
上述によれば、振動が発生すると、滑走体２００または補助滑走体２５０が滑走面１２０上で滑走する場合、前記移動制限顎部１８０によって滑走範囲が制限され、その結果、滑走体２００または補助滑走体２５０が滑走面１２０から離脱しなくなる。
【００４６】
一方、前記移動制限顎部１８０には点検口１６０が設けられる。このような点検口１６０を介して移動制限顎部１８０の内側を外部から点検することができる。
【００４７】
図１１は本発明の他の実施例による滑走手段が採用された免震装置を示す例示図、図１２及び図１３は本発明の他の実施例による滑走手段を示す例示図である。
【００４８】
本発明に適用される滑走手段は、別途設けられ、滑走面１２０に載せられる構成であり得る。このため、図示のように、板状のケージ２２８に複数の滑走ボール２２２が回動自在に設置される構成が提案される。前記ケージ２２８は、滑走面と対応する曲率を持つように下方に膨らむように形成できる。そして、必要に応じて中央部分が穿孔されてリング状を成してもよい。
【００４９】
前記滑走ボール２２２は、ケージ２２８の中心を基準に同心円上で一定の間隔をおいて配置される。重心を合わせるための構成である。また、直径が異なる同心円上で２列またはそれ以上の列に配列されるように形成されてもよい。滑走ボール２２２の数が増えるほど、荷重に耐える能力は向上するので、これを考慮して、滑走ボール２２２の数及び位置を決定する。
【００５０】
前述したように別途設けられる滑走手段の構成は、滑走台１００に補助滑走体２５０が載せられ、その上に滑走体２００が載せられる構成（図１１）の他にも、補助滑走体２５０が採用されていない構成にも全て適用可能である。
【００５１】
図１４、図１５及び図１６は本発明による免震装置に倒壊防止手段が形成された構成を例示して示す例示図である。
【００５２】
本発明による免震装置（ＳＩＳ）は、振動を吸収する過程で、滑走台１００に載せられた滑走体２００が倒れないようにする倒壊防止手段を備えることができる。このような倒壊防止手段は、先立って説明した実施形態に係る滑走体１００と滑走台２００の構成に応じてさまざまな構成で形成される。
【００５３】
つまり、倒壊防止手段は、前記移動制限突起２６０の下端に設けられる倒壊防止板２６２と、前記移動制限溝１４０に設けられ、前記倒壊防止板２６２が動けるように余裕空間を持ちながらも、入口が狭く形成されて倒壊防止板２６２が抜けないように収容するための倒壊防止板チャンバ２７０とを含むことができる（図１４）。この構成において、前記倒壊防止板チャンバ２７０は、滑走台１００に設けられるので、滑走台１００が倒壊防止板チャンバ２７０を基準に高さ方向に半分されて組み立てられることにより、倒壊防止板チャンバ２７０に倒壊防止板２６２を収容することができる。
【００５４】
他の例として、倒壊防止手段は、前記滑走台１００と滑走体２００との間で、下端が滑走台１００に回動自在に固定され、上端が滑走体２００に回動自在に固定されるボールジョイント２８０を含むことができる（図１５）。前記ボールジョイント２８０は、一定の長さとなるボディをなし、ボディの上端と下端にボール２８２が設けられることで、それぞれ滑走体２００と滑走台１００に設けられる溝に嵌め込まれて固定されることにより回動自在に固定される。
【００５５】
ここで、前記ボール２８２はボディに着脱可能に設けられてもよく、前記ボディは分離可能に設けられてもよい。前記ボール２８２が嵌め込まれる溝は、入口が狭く形成されることにより、ボール２８２が離脱しないようにしなければならないので、そのために、滑走体２００は、前記溝を基準に上下に半分され、同様に滑走台１００も溝を基準に上下に半分されるように形成できる。ボールジョイント２８０の上端では、半分された滑走体２００が分離された状態で、ボール２８２を溝が上下に包むようにして、半分された滑走体２００を組み立て、同様にボールジョイント２８０の下端でも、ボール２８２を溝が上下に包むようにして、半分された滑走台１００を互いに組み立てればボール２８２が溝に収容されるのである。
【００５６】
別の例として、倒壊防止手段は、倒壊防止リング２９０を備えて滑走台１００と滑走体２００とを互いに連結することができる（図１６）。前記倒壊防止リング２９０は、一定の高さを有する管の形状をなして前記滑走台１００の外周に下端が螺合またはボルトによって固定され、上端は前記滑走体２００の外周に結合される。倒壊防止リング２９０の上端には、内側に向かって係止突起２９２が設けられるので、前記滑走体２００の外周に沿って一定の深さで係止溝２０２が設けられ、前記係止突起２９２が係止溝２０２に係合される。この時、前記係止溝２０２は、前記係止突起２９２が動けるようにするために、余裕空間を持つように設けられなければならない。一方、係止溝２０２に係止突起２９２が嵌挿されるようにするために、滑走体２００は係止溝２０２を基準に上下に半分されて組み立てられるように形成できる。
【００５７】
以上の倒壊防止手段によれば、滑走体２００が滑走台１００上で滑走することができながらも分離されなくなるので、激しい振動にも滑走体２００が滑走台１００から倒壊しなくなる。
【符号の説明】
【００５８】
１００    滑走台
１２０    滑走面
１４０    移動制限溝
１６０    点検口
１８０    移動制限顎部
２００    滑走体
２２２    滑走ボール
２２３、６４３    補助ボール
２３０    弾性板
２４０    埋設体
２４２    軸溝
２６０    移動制限突起
３００    弾性クッション
４００    受け台
５００    ボルト
６００    構造物支持台
６４０    軸棒
６４２    ピボットボール
７００    保護膜
【図１】
0006871417.tif 000002
【図２】
0006871417.tif 000003
【図３】
0006871417.tif 000004
【図４】
0006871417.tif 000005
【図５】
0006871417.tif 000006
【図６】
0006871417.tif 000007
【図７】
0006871417.tif 000008
【図８】
0006871417.tif 000009
【図９】
0006871417.tif 000010
【図１０】
0006871417.tif 000011
【図１１】
0006871417.tif 000012
【図１２】
0006871417.tif 000013
【図１３】
0006871417.tif 000014
【図１４】
0006871417.tif 000015
【図１５】
0006871417.tif 000016
【図１６】
0006871417.tif 000017